(57)【要約】      （修正有）【課題】便器の手水装置の作動を利用した水鈴を提供する。【解決手段】薄肉ガラス製の水鈴カップ３と、この水鈴カップ３内に収納される中空ガラス球で、内側に空隙を残して色付きの液体を封入した水鈴玉４の複数を有し、この水鈴玉を収納した水鈴カップを便器洗浄水タンクの開口を覆う手水盆１に載置し、手水パイプ２から水鈴カップ３内に流入する手水により水鈴玉４を動かし、これらを水鈴カップの内面に衝突させることにより風鈴のような音を発生させる。【選択図】図１
2013043009.tif 000002
【特許請求の範囲】
【請求項１】
薄肉ガラス製の水鈴カップと、この水鈴カップ内に収納される中空ガラス球で、内側に空隙を残して色付きの液体を封入した水鈴玉の複数を有し、この水鈴玉を収納した水鈴カップを便器洗浄水タンクの開口を覆う手水盆に載置するようにしたことを特徴とする水鈴。
【請求項２】
薄肉ガラス製の水鈴カップと、この水鈴カップ内に収納される中空ガラス球で、内側に空隙を残して色付きの液体を封入した水鈴玉の複数を有し、この水鈴玉を収納した水鈴カップを便器洗浄水タンク内の、上記手水盆の排水口の下方に配設するようにしたことを特徴とする水鈴。
【発明の詳細な説明】
【技術分野】
【０００１】
この発明は、水鈴に係り、特に、便房内の便器洗浄水タンクから供給される手水によって奏鳴する新規な水鈴に関する。
【０００２】
なお、ここで水鈴とは発明者による造語であって、特許請求の範囲に記載された技術思想をいい、水鈴の名称が表わす概念はこの明細書及び図面によって明らかにするが、新規なものであるので先行技術文献を発見することができなかった。
【発明の概要】
【発明が解決しようとする課題】
【０００３】
通常、便房内には便器洗浄水タンクが付設されており、フラッシュ（洗浄のために洗浄水を流すこと）毎にタンク内の洗浄水を便器に流すと共に、洗浄水を補給する水流の一部をタンクの開口カバーに形成された手水盆に供給して手を洗うことができるようにしている。
【０００４】
この手水は、上記手水盆に開口した排水口を通ってタンク内に還流するようになっており、無駄になることは無い。
【０００５】
この発明は、上記した便器洗浄装置の不都合を探し出して改良しようとするものではなく、手水装置の作動を利用して水鈴を奏鳴させ、手水装置に新たな機能を付与することを目的としている。
【課題を解決するための手段】
【０００６】
上記の目的を達成するため、請求項１に記載の発明は、薄肉ガラス製の水鈴カップと、この水鈴カップ内に収納される中空ガラス球で、内側に空隙を残して色付きの液体を封入した水鈴玉の複数を有し、この水鈴玉を収納した水鈴カップを便器洗浄水タンクの開口を覆う手水盆に載置するようにしたことを特徴とする。
【０００７】
また、請求項２に記載の発明は、薄肉ガラス製の水鈴カップと、この水鈴カップ内に収納される中空ガラス球で、内側に空隙を残して色付きの液体を封入した水鈴玉の複数を有し、この水鈴玉を収納した水鈴カップを便器洗浄水タンク内の、上記手水盆の排水口の下方に配設するようにしたことを特徴とする。
【発明の効果】
【０００８】
上記のように構成された請求項１及び２に記載の発明は、便器のフラッシュ時手水が水鈴カップ内に流入すると、空隙を残して色付きの液体を封入した水鈴玉が水鈴カップ内で遊動し水鈴カップ内壁に衝突する。
【０００９】
すると、水鈴カップが振動してチーン、チーン或いはチリーン、チリーンと良い音がして新規な鈴の音が流れる、という所期の効果を奏する。
【００１０】
また、請求項１に記載の発明は、上記した請求項１、２の発明の共通した効果に加えて、内部に色付きの液体を封入した水鈴玉が水鈴カップ内で踊るように遊動するので、視覚による興趣が加わる、等種々の効果を奏する。
【図面の簡単な説明】
【００１１】
【図１】この発明の一実施例による水鈴の使用状態を示す外観斜視図。
【図２】この発明の一実施例による水鈴カップの断面図。
【図３】水鈴玉の構成を説明するための線図。
【図４】水鈴玉の断面図。
【図５】この発明の第１変形実施例による水鈴カップの断面図。
【図６】この発明の第２変形実施例による水鈴カップの断面図。
【図７】この発明の第３変形実施例による水鈴カップの断面図。
【図８】この発明の第３変形実施例による水鈴カップの取り付けを説明するための線図。
【図９】この発明の第３変形実施例による水鈴カップの取り付けを説明するための拡大断面図。
【図１０】この発明の第４変形実施例による水鈴カップの断面図。
【図１１】この発明の第４変形実施例による水鈴カップの取り付けを説明するための線図。
【図１２】この発明の第４変形実施例による水鈴カップの取り付けを説明するための拡大断面図。
【発明を実施するための形態】
【００１２】
薄肉ガラス製の水鈴カップ中に、中空ガラス球で、内側に空隙を残して色付きの液体を封入した水鈴玉の複数を収納し、水鈴カップ中に手水を流入させることにより水鈴玉を水鈴カップ中で遊動させるようにしたので、水鈴玉が水鈴カップに衝突して良い音が出て手水装置に興趣を付与することができた。
【実施例１】
【００１３】
以下、この発明の実施例を図面を参照して説明する。
図１において符号１は手水盆を示し、この手水盆１は便房内の洗浄水タンクの上部開口を覆うように載置された、例えば陶製の皿状の部材である。
【００１４】
この手水盆１の例えば上面には、全体の形状が逆Ｊ字形の手水パイプ２が設けられていて、フラッシュ時洗浄水タンクに洗浄水が補充されるときその一部が出口から流下し、その流下する水を利用して手を洗う。
【００１５】
なお、以上の構成、及び手水盆１の中央に開口した図示しない排水溝から水が洗浄水タンク内に還流することは周知であるから、更に詳細な説明は省略する。
【００１６】
上記手水盆１の中央部にはカップ状の水鈴カップ３が載置されている。
この水鈴カップ３は、例えば図２に示すように、薄肉ガラス製のコップ状の容器で、図示のものは高さが約５０ミリメートル、開口径が約６５ミリメートル、開口端縁の厚さは約２ミリメートルである。
【００１７】
上記水鈴カップ３内には、図１に示すように、複数個（図示の実施例では３個）の水鈴玉４、４が収納されている。
【００１８】
この水鈴玉４は、図３に示すように、開口端縁の直径が約２０ミリメートル、厚さが約１ミリメートルのガラス製の中空半球体５、５を矢印方向に突き合わせ、相互に接合する開口端縁を熱により溶着し、或いは接着剤により接着して中空の水鈴玉４を形成する。
【００１９】
なお、このとき、中空半球体５の開口端縁の一部を小さく切欠いておき（図示せず）、中空半球体５、５を接合したとき、図４に示すように、水鈴玉４に小径の注入孔６を形成しておくものとする。
【００２０】
そして、この注入孔６からスポイト等で例えば染料などで色付けした液体７（図示の実施例では色付きの水）を封入し、その後注入孔を溶けたガラスなどで封鎖する。
【００２１】
なお、このとき液体７の上側に空隙８を残し、水鈴玉４の全体の比重を調節する。それは、水鈴玉４が重いと水鈴カップ３内に手水が注入されても水鈴玉４が沈んだままで動かないからである。
【００２２】
上記のように構成された水鈴玉４の複数を水鈴カップ３内に収納し、図１に示すように水鈴カップ３を手水盆１の中央部で手水パイプ２の下方に置くと、手水が水鈴玉４、４を動かして内部の色付きの液体を動かすと共に、水鈴玉４が水鈴カップ３の内面と衝突して良い音がする。
【実施例２】
【００２３】
図５はこの発明の第１変形実施例を示し、この実施例は、水鈴カップ３の開口付近に１個または複数個（図示の実施例では等角度間隔で４個）の開口９を形成したものである。
【００２４】
このように水鈴カップ３に開口を形成すると、カップ内に流入した手水がこの開口から外部に漏出するので、上記良い音の発生源である水鈴カップ３の開口端縁部の振動が手水に吸収されることが無くなり、音が大きくなる、という別の効果が生じる。
【実施例３】
【００２５】
図６はこの発明の第２変形実施例を示し、この実施例は、水鈴カップ３の外底面に少なくとも１条（図示の実施例では十字形に交差する２条）の排水溝１１、１１を形成したものである。
【００２６】
このように水鈴カップ３の外底面に排水溝を形成すると、手水盆１の図示しない排水溝を閉鎖することが無いので、使用後の手水の手水盆からの排水が円滑に行われるという更に別の効果が生じる。
【実施例４】
【００２７】
図７はこの発明の第３変形実施例を示し、この実施例は、水鈴カップ３の外底面に複数（図示の実施例では１対）の短円柱１２、１２を突設したものである。
【００２８】
その目的は、図８に示すように水鈴カップ３を洗浄水タンク１３内に収納し、例えばホテルなどにおいて水鈴カップの持ち帰りを防止し、水鈴カップ３の保守点検を容易にすることにある。
【００２９】
そのために、図８、９に示すように、洗浄水タンク１３の内底面に支柱１４を立て、その上端に支持板１５を固定する。
【００３０】
そして、図９に示すように、支持板１５に上記短円柱１２、１２と同じ展開パターンで支持孔１６、１６を開口させ、短円柱１２と支持孔１６とを固く嵌め合わせる。
【００３１】
このとき、水鈴カップ３が手水盆１の排水口１７の下方に位置するように諸部材の形状、寸法を設定することは勿論である。
【００３２】
ちなみに、図８においては洗浄水タンク１３内のフロート等の部材を省略して示すが、洗浄水タンク１３の内部構造に応じて支柱１４の形状を適切に設定すれば、図８に示す水鈴カップ３の支持構造は容易に設計することができる。
【実施例５】
【００３３】
図１０はこの発明の第４変形実施例を示し、この実施例は、図７乃至図９に示す第３変形実施例と同じ目的で水鈴カップ３を洗浄水タンク１３内に収納するようにしたものである。
【００３４】
この第４変形実施例においては、水鈴カップ３の外底面に断面円形の１対の凹陥部１８、１８が形成されている。
【００３５】
これに対応して、図１１に示すように、洗浄水タンク１３の内壁面に固定された全体の形状がＬ字形の支持ブラケット１９の先端部には、図１２に示すように、上記凹陥部１８、１８と同じ展開パターンで一対の支持ピン２１、２１が埴設されており、上記凹陥部１８とこれに対応する支持ピン２１とを固く嵌め合わせることにより支持ブラケット１９の先端部に水鈴カップ３を支持、固定している。
【００３６】
なお、図９及び図１２おいて水鈴カップ３がその支持部材１５、１９から離れてしまわないように、水鈴カップの外底面に一の永久磁石を、その支持部材１５、１９の一の永久磁石と対向する部分に一の永久磁石と異磁極で対峙する他の永久磁石を夫々埋設し、磁気吸引力により水鈴カップ３を固定するようにしても良い（図示せず）。
【符号の説明】
【００３７】
１  手水盆
２  手水パイプ
３  水鈴カップ
４  水鈴玉
５  中空半球体
６  注入孔
７  液体
８  空隙
９  開口
１１  排水溝
１２  短円柱
１３  洗浄水タンク
１４  支柱
１５  支持板
１６  支持孔
１７  排水孔
１８  凹陥部
１９  支持ブラケット
２１  支持ピン
【図１】
2013043009.tif 000003
【図２】
2013043009.tif 000004
【図３】
2013043009.tif 000005
【図４】
2013043009.tif 000006
【図５】
2013043009.tif 000007
【図６】
2013043009.tif 000008
【図７】
2013043009.tif 000009
【図８】
2013043009.tif 000010
【図９】
2013043009.tif 000011
【図１０】
2013043009.tif 000012
【図１１】
2013043009.tif 000013
【図１２】
2013043009.tif 000014